(57)【要約】      （修正有）【課題】小型電子機器を高温下若しくは低温化の環境で長時間放置した場合でも、安全に保護しうる小型電子機器収納具を提供する。【解決手段】小型電子機器収納具１０は、直方体の箱型に形成された収納具本体部１４と、収納具本体１４の背面部１５の上端縁部に連設されると共に、上端開口部１６を被覆しうる蓋布部１７とを備える。収納具本体部１４の前面部１８の上端部には、スナップボタン係止部１９が設けられると共に、上記蓋布部１７において、上記開口部１６を閉止した場合に上記スナップボタン係止部１９に当接する位置には、上記スナップボタン係止部１９に係合するスナップボタン２０が配設され、上記収納具本体部１４の上端部にはストラップ紐２１が配設されている。また、小型電子機器収納具１０は、耐熱若しくは断熱性を備えた繊維１３を含有すると共に、表面に撥水加工が施された布材１１により形成され、収納対象物の外表面の全域を被覆する。【選択図】図１
0003167167.tif 000002
【実用新案登録請求の範囲】
【請求項１】
小型電子機器を収納しうる収納具であって、
上記収納具は、耐熱性若しくは断熱性を備えた繊維を含有する布材により形成されていることを特徴とする小型電子機器収納具。
【請求項２】
上記収納具は、収納対象の小型電子機器の外表面の略全域を被覆しうるように形成されていることを特徴とする請求項１の小型電子機器収納具。
【請求項３】
上記繊維は、アラミド繊維、ガラス繊維、炭素繊維、及びアルミナ繊維のいずれか一以上の繊維であることを特徴とする請求項１または請求項２に記載の小型電子機器収納具。
【請求項４】
上記布材には、表面に撥水加工が施されていることを特徴とする請求項１記載の小型電子機器収納具。
【請求項５】
上記携帯用小型電子機器は、携帯電話、ポータブルプレーヤー、デジタルカメラ、携帯端末の少なくとも１つを含むことを特徴とする請求項１記載の小型電子機器収納具。
【考案の詳細な説明】
【技術分野】
【０００１】
本考案は、携帯電話、デジタルカメラ等の携帯用の小型電子機器を収納し、高温若しくは低温下、又は高湿度下の環境において、上記小型電子機器を保護しうる小型電子機器収納具に関する。
【背景技術】
【０００２】
近年、携帯電話、デジタルカメラ、モバイル端末、ポータブルプレーヤーの小型電子機器は、更に小さく且つ高性能となっており、複数種類の小型電子機器を形態する機会が増えている。
上記小型電子機器は、精密な電子・機械部品から構成されていることから、外部からの衝撃、温度変化、湿気などの外部環境の変化には脆弱である場合がが多い。
【０００３】
上記事情を鑑み、携帯電話、及びモバイル端末等を収納しうる小型電子機器収納具、若しくはカバーが広く流通している。
しかしながら、従来の小型電子機器収納具は、外部衝撃からの保護を主たる目的としている場合が多い。
また、収納対象が携帯電話等の場合は、収納具に収納した状態であっても操作の操作性を優先させるため、ディスプレイ部及びボタン部は露出させる形態である場合が多く、小型電子機器の保護目的の他、装飾具としての機能を優先させている場合もある。
【０００４】
上記のような、従来の収納具であっても、手持ち鞄等に収納して持ち運ぶ場合には、大きな衝撃を受けることが少ないことから、問題が生じることは少ない。
【０００５】
しかしながら、上記小型電子機器の多くは、内部に、熱に弱いマイクロコンピュータを内蔵している。
従って、夏場において、密閉された自動車の車室内に放置された場合等は、車室内温度が６０℃以上となる場合もあることから、内部のマイクロコンピュータが故障する要因となり易かった。
また、小型電子機器の多くに搭載されている液晶ディスプレイについても、上記のような高温条件の他、氷点下以下の低温となった場合には、正常に凍結によって正常な表示がされなくなる虞があった。
【０００６】
上記背景にも関わらず、従来の小型電子機器収納具は、デザイン性及び、収納状態における小型電子機器の操作性にのみが着目され、耐熱及び断熱性能を有し、小型電子機器を長時間に亘って安全に保護しうる小型電子機器収納具は提案されていなかった。
【考案の開示】
【考案が解決しようとする課題】
【０００７】
本考案の課題は、上記不具合を解決するためのものであって、その課題は、小型電子機器を高温下若しくは低温化の環境で長時間放置した場合でも、故障等の機能不全を発生させることが無く、安全に保護しうる小型電子機器収納具を提供することにある。
【課題を解決するための手段】
【０００８】
上記不具合を解決するため、請求項１記載の考案に係る小型電子機器収納具は、耐熱性若しくは断熱性を備えた繊維を含有する布材により形成されていることを特徴とする
【０００９】
従って、小型電子機器を収納した場合に、収納具の外部の温度が、内部の小型電子機器に伝わり難くなる。
【００１０】
また、請求項２記載の考案に係る小型電子機器収納具は、収納対象の小型電子機器の外表面の略全域を被覆しうるように形成されていることを特徴とする。
【００１１】
従って、小型電子機器の一部が外部に露出することがない。
【００１２】
また、請求項３記載の考案に係る小型電子機器収納具は、上記繊維は、アラミド繊維、ガラス繊維、炭素繊維、及びアルミナ繊維のいずれか一以上の繊維であることを特徴とする。
【００１３】
従って、必要な耐熱及び断熱性能に合わせて、素材を適宜選択することができる。
【００１４】
また、請求項４記載の考案に係る小型電子機器収納具は、上記布材には、表面に撥水加工が施されていることを特徴とする。
【００１５】
従って、高温状態から急激に温度が下がり、結露した場合等においても、収納された小型電子機器の表面が濡れることがない。
【００１６】
また、請求項５記載の考案に係る小型電子機器収納具は、上記携帯用小型電子機器は、携帯電話、ポータブルプレーヤー、デジタルカメラ、携帯端末の少なくとも１つを含むことを特徴とする
【考案の効果】
【００１７】
請求項１及び請求項５記載の考案にあっては、耐熱性若しくは断熱性を備えた繊維を含有する布材により形成されていることから、小型電子機器を高温下若しくは低温化の環境で長時間放置した場合でも、故障等の機能不全を発生させることが無く、安全に保護しうる小型電子機器収納具を提供することができる。
また、請求項５の考案にあっては、小型電子機器は、携帯電話、ポータブルプレーヤー、デジタルカメラ、携帯端末の何れか１つであることから、耐熱及び断熱、耐冷性能を有すると共に、収納対象の小型電子機器に合わせて、自由なデザインの小型電子機器収納具を製造することができる。
【００１８】
また、請求項２記載の考案にあっては、収納対象の小型電子機器の外表面の略全域を被覆しうるように形成されていることから、小型電子機器の一部が外部に露出することがなく、より確実に小型電子機器を保護することができる。
【００１９】
請求項３記載の考案にあっては、上記繊維は、アラミド繊維、ガラス繊維、炭素繊維、及びアルミナ繊維のいずれか一以上の繊維であることから、収納対象の小型電子機器の種類若しくは使用及び保管環境、または、製造コスト等に合わせ、自由に選択することができる。
【００２０】
また、請求項４の考案にあっては、上記布材には、表面に撥水加工が施されていることから、請求項１の効果に加え、高温状態から急激に温度が下がり、結露した場合等においても、収納された小型電子機器の表面が濡れることがなく、より確実に小型電子機器を保護することができる。
【図面の簡単な説明】
【００２１】
【図１】本考案の一実施の携帯を示し、本実施例に係る小型電子機器収納具に（ａ）は携帯電話、（ｂ）はデジタルカメラを収納した場合を示す斜視図である。
【考案を実施するための最良の形態】
【００２２】
本考案を実施するための形態について、収納対象の小型電子機器が携帯電話若しくはデジタルカメラを収納する場合を例に、添付図面を用いて説明する。
図１（ａ），（ｂ）に示すように、本実施例に係る小型電子機器収納具１０は、耐熱若しくは断熱性を備えた繊維１３を含有すると共に、表面に撥水加工が施された布材１１により形成され、収納対象物である携帯電話１２ａ若しくは、デジタルカメラ１２ｂの外表面の全域を被覆しうるように形成されている。
また、上記繊維は、アラミド繊維、ガラス繊維、炭素繊維、及びアルミナ繊維のいずれか一以上の繊維により形成されている。
【００２３】
本実施例の構成について、添付図面を用いて詳述する。
図１（ａ）は、小型電子機器１２が携帯電話１２ａである場合、図１（ｂ）はデジタルカメラ１２ｂである場合を例とした、小型電子機器収納具１０の全体斜視図である。
図１に示すように、本実施例においては、小型電子機器収納具１０は、直方体の箱型に形成された収納具本体部１４と、上記収納具本体１４の背面部１５の上端縁部に連設されると共に、上端開口部１６を被覆しうる蓋布部１７とを備え、上記収納具本体部１４の前面部１８の上端部には、スナップボタン係止部１９が設けられると共に、上記蓋布部１７において、上記開口部１６を閉止した場合に上記スナップボタン係止部１９に当接する位置には、上記スナップボタン係止部１９に係合するスナップボタン２０が配設され、上記収納具本体部１４の上端部にはストラップ紐２１が配設されている。
【００２４】
図１（ａ）（ｂ）に示すように、収納具本体部１４は、収納対象である携帯電話１２ａ、若しくはデジタルカメラ１２ｂよりも大きな幅寸法及び長さ寸法に形成されている。
【００２５】
また、収納具本体部１４及び蓋布部１７は何れもアラミド繊維、ガラス繊維、炭素繊維、アルミナ繊維、及び耐熱性ポリ乳酸繊維から選択された耐熱及び断熱性繊維を含んだ布体１１により形成されている。
【００２６】
上記携帯電話１２ａ、若しくはデジタルカメラ１２ｂを収納する場合には、上記ボタン係止部１９とスナップボタン２０との係合を解除して、蓋布部１７を上方に持ち上げ、開口部１６から携帯電話１２ａ、若しくはデジタルカメラ１２ｂを挿入する。
その後、蓋布部１７で開口部１６を閉止し、スナップボタン２０とスナップボタン係止部１９とを係合させることにより、携帯電話１２ａ、若しくはデジタルカメラ１２ｂが収納される。
この際、収納具本体部１４が、収納対象である携帯電話１２ａ、若しくはデジタルカメラ１２ｂよりも大きな幅寸法及び長さ寸法に形成されているため、上記携帯電話１２ａ、若しくはデジタルカメラ１２ｂは、小型電子機器収納具１０の布体１１で完全に被覆され、高温若しくは低温下の環境で放置されても、
内部の携帯電話１２ａ、若しくはデジタルカメラ１２ｂを安全且つ確実に保護しうる。
【００２７】
なお、上記繊維は、夫々以下のような特徴を有している。
アラミド繊維は、ポリアミド系の繊維であり、熱分解点が約４００℃と非常に高い耐熱性を有している。
また、ガラス繊維、はガラスを融解後牽引して繊維状に加工したものであり、耐熱、断熱性に優れている。
また、炭素繊維は、アクリル繊維等を高温で炭化させることのより形成され、耐熱の他、耐摩耗性にも優れている。
またアルミナ繊維は、セラミック材料であるアルミナ（酸化アルミニウム）により形成され、極めて耐熱性に優れている。
【００２８】
本実施例においては、収納対象の小型電子機器１２の種類若しくは使用及び保管環境、または、製造コスト等に合わせ、上記繊維から一以上の繊維を選択的に用いたが、上記の他であっても、加工性及び製造コスト等の阻害要因が無い限り、所定の耐熱、若しくは断熱性を備える繊維であれば、適宜自由に選択することができる。
【００２９】
また、本実施例における小型電子機器収納具の形状はあくまで一例であり、収納具本体部の形状大きさ寸法、蓋布部の有無、形状若しくは大きさ寸法、上記蓋布部の固定手段、その他、装飾物、付属物等の付加については、収納対象の小型電子機器の種類、使用者の嗜好等に合わせて適宜変更しても、本実施例と同様の作用効果を得ることができる。
【産業上の利用可能性】
【００３０】
本考案は、携帯電話、デジタルカメラ等の携帯用の小型電子機器を収納し、高温若しくは低温下、又は高湿度下の環境において、上記小型電子機器を保護しうる小型電子機器収納具に適用可能である。
【符号の説明】
【００３１】
１０  小型電子機器収納具
１１  布材
１２  小型電子機器
１２ａ携帯電話
１２ｂデジタルカメラ
１３  耐熱、断熱性繊維
１４  収納具本体部
１５  収納具本体部の背面部
１６  収納具本体部の開口部
１７  蓋布部
１８  収納具本体部の前面部
１９  スナップボタン係止部
２０  スナップボタン
２１  ストラップ紐
【図１】
0003167167.tif 000003